【手続補正書】
【提出日】平成22年6月1日(2010.6.1)
【手続補正１】
【補正対象書類名】特許請求の範囲
【補正対象項目名】全文
【補正方法】変更
【補正の内容】
【特許請求の範囲】
【請求項１】
アプリケーション（４００）を第２の通信装置（第２の装置）（１１０）と共有するための、該アプリケーション（４００）を備えた第１の携帯通信装置（第１の装置）（１００）における方法であって、
第１のショートメッセージサービス（ＳＭＳ）を前記第２の装置（１１０）へ送信するステップであって、前記第２の装置（１１０）が前記アプリケーション（４００）を予め備えていない場合、前記第１のＳＭＳは、前記アプリケーション（４００）を前記第２の装置（１１０）の中へダウンロードできるダウンロード元の場所へのリンクと、前記第１の装置（１００）と前記第２の装置（１１０）との間のＩＰ接続を開始するために用いる前記第２の装置（１１０）用の識別子とを有する、ステップと、
前記第１の装置（１００）と前記第２の装置（１１０）との間のＩＰ接続を設定するために前記第２の装置（１１０）により接続されるステップであって、前記第２の装置（１１０）が前記アプリケーション（４００）を予め備えていない場合、該第２の装置（１１０）は、前記第１のＳＭＳの中の受信した前記リンクによって前記アプリケーション（４００）をダウンロードし、さらに、該第２の装置（１１０）は、前記第１のＳＭＳの中の受信した前記識別子によって前記第１の装置（１００）に接続される、ステップと、
前記アプリケーション（４００）を共有しながら、ＩＰ接続で前記第２の装置（１１０）と通信を行うステップと、
を有し、
前記第１のＳＭＳは勧誘テキストをさらに有し、該勧誘テキストは、前記第２の装置（１１０）のユーザが前記アプリケーション（４００）のダウンロードを望んだ場合に、前記リンクをアクティブにするために該ユーザを勧誘するように適合され、
前記第２の装置（１１０）が前記アプリケーション（４００）を予め備えていない場合、前記勧誘テキストのみを前記第２の装置（１１０）に表示するように適合され、
前記第１のＳＭＳは前記アプリケーション（４００）に関連づけられた特定のポートへ送信されると共に、前記ＳＭＳがこのようなポートを発見しなかった場合、それは、前記第２の装置（１１０）が前記アプリケーション（４００）を備えていないことと、前記勧誘テキストを前記第２の装置（１１０）に示すべきであることとを示すものである
ことを特徴とする方法。
【請求項２】
前記第２の装置（１１０）が前記アプリケーション（４００）を予め備えている場合、前記第１のＳＭＳは、前記アプリケーション（４００）を前記第２の装置（１１０）において開始するためのトリガをさらに有することを特徴とする請求項１に記載の方法。
【請求項３】
前記第１のＳＭＳが前記リンクと前記勧誘テキストとを有していなかった場合、前記第２の装置（１１０）が前記アプリケーション（４００）を備えていなければ、前記リンクと前記勧誘テキストとを含む個別の勧誘ＳＭＳを第２の装置（１１０）へ送信するステップを更に備えることを特徴とする請求項１又は２に記載の方法。
【請求項４】
前記第１のＳＭＳに関連づけられた配信報告が受信され、また、前記第１の装置（１００）内の前記アプリケーション（４００）とのコンタクトが前記第２の装置（１１０）内の前記アプリケーション（４００）によって所定の時間内に行われなかった場合、前記勧誘ＳＭＳが送信されることを特徴とする請求項３に記載の方法。
【請求項５】
前記第２の装置（１１０）のスイッチがオンになっているが、前記第２の装置（１１０）内の前記アプリケーション（４００）によって、前記第１の装置（１００）内の前記アプリケーション（４００）とのコンタクトが所定の時間内に行われていないことが要求時の前記第２の装置（１１０）の通信事業者により知らされた場合、前記勧誘ＳＭＳが送信されることを特徴とする請求項４に記載の方法。
【請求項６】
ＩＰ接続を開始するために用いられる前記第２の装置（１１０）用の前記識別子は、前記第１の装置（１００）の前記ＩＰアドレスによって表されることを特徴とする請求項１乃至５のいずれか１項に記載の方法。
【請求項７】
サーバ（１２０）が前記ＩＰ接続の設定に用いられ、
前記アプリケーション（４００）は前記サーバ（１２０）のＩＰアドレスを認知し、
前記第１のＳＭＳの中に含まれている前記識別子が、前記第１の装置（１００）と前記サーバ（１２０）との間のＩＰ接続を特定する識別子によって表され、
前記方法は、前記第１のＳＭＳを送信する前記ステップの前に行う以下のステップ、すなわち、
前記サーバ（１２０）の前記認知済みのＩＰアドレスを用いることによって、前記サーバ（１２０）と前記第１の装置（１００）との間のＩＰ接続を設定するステップと、
前記サーバ（１２０）と前記第１の装置（１００）との間の前記接続を特定する識別子を取得するステップと、
前記識別子は、前記サーバ（１２０）と前記第１の装置（１００）との間の前記接続に関連づけられたものとして、前記サーバ（１２０）に登録される
ことを特徴とする請求項１乃至６のいずれか１項に記載の方法。
【請求項８】
前記第１の装置（１００）によって作成されることによって前記識別子は取得されることを特徴とする請求項７に記載の方法。
【請求項９】
前記識別子は要求時に前記サーバ（１２０）から取得されることを特徴とする請求項７又は８に記載の方法。
【請求項１０】
前記第１の装置（１００）と前記第２の装置（１１０）との間のＩＰ接続を設定するために前記第２の装置（１１０）によって接続される前記ステップは、
前記第２の装置（１１０）と前記サーバ（１２０）の前記ＩＰアドレス間の接続を設定するステップであって、前記第２の装置（１１０）は、前記サーバ（１２０）に識別子を提供すると共に、該識別子は前記サーバ（１２０）と、該サーバ（１２０）に登録された前記第１の装置（１００）との間の前記ＩＰ接続を特定するために前記サーバ（１２０）によって用いられるステップと、
前記第１の装置（１００）と前記サーバ（１２０）との間の前記識別されたＩＰ接続を、前記サーバ（１２０）と前記第２の装置（１１０）との間の前記ＩＰ接続と接続するステップと、
によって実行されることを特徴とする請求項７乃至９のいずれか１項に記載の方法。
【請求項１１】
前記アプリケーション（４００）をダウンロードできるダウンロード元の前記場所へのリンクが、前記第１の装置（１００）又は前記サーバ（１２０）へのリンクであることを特徴とする請求項１乃至１０のいずれか１項に記載の方法。
【請求項１２】
ダウンロードできる前記アプリケーション（４００）は、前記サーバ（１２０）宛のＩＰアドレスも備えることを特徴とする請求項７乃至１１のいずれか１項に記載の方法。
【請求項１３】
前記サーバ（１２０）は、当該サーバ（１２０）からの前記応答の中に含まれる前記勧誘テキストであって、前記第１のＳＭＳの中に含まれる勧誘テキストを定式化することを特徴とする請求項７乃至１２のいずれか１項に記載の方法。
【請求項１４】
前記第２の装置（１１０）の電話番号が前記サーバ（１２０）に知らされ、
前記サーバ（１２０）は前記電話番号の国別コードに対して前記テキストを採用する
ことを特徴とする請求項７乃至１３のいずれか１項に記載の方法。
【請求項１５】
アプリケーション（４００）を第２の通信装置と共有する第１の通信装置（第１の装置）（１００）内で読み出されるコンピュータプログラムであって、請求項１乃至１４のいずれか１項に記載の方法が有する各ステップの実行を、前記第１の装置（１００）に設けられたコンピュータ内の処理手段（４３０）に制御させることを特徴とするコンピュータプログラム。
【請求項１６】
アプリケーション（４００）を備える第１の携帯通信装置（第１の装置）（１００）であって、
第１のショートメッセージサービス（ＳＭＳ）を第２の通信装置（第２の装置）（１１０）へ送信するように適合された送信用ユニット（４１０）であって、前記第２の装置（１１０）が前記アプリケーション（４００）を予め備えていない場合、前記第１のＳＭＳは、前記アプリケーション（４００）を前記第２の装置（１１０）の中へダウンロードできるダウンロード元の場所へのリンクと、前記第１の装置（１００）と前記第２の装置（１１０）との間のＩＰ接続を開始するために用いる前記第２の装置（１１０）用の識別子とを有するように適合された送信用ユニット（４１０）と、
前記第１の装置（１００）と前記第２の装置（１１０）との間のＩＰ接続を設定するために前記第２の装置（１１０）によって接続されるように適合されたＩＰ接続ポイント（４２０）であって、該第２の装置（１１０）が前記アプリケーション（４００）を予め備えていない場合、該第２の装置（１１０）は、受信した前記リンクによって前記アプリケーション（４００）を前記第１のＳＭＳにダウンロードするように適合され、さらに、該第２の装置（１１０）は前記第１のＳＭＳの形で受信した識別子によって前記第１の装置（１００）に接続されるように適合されたＩＰ接続ポイント（４２０）と、
を備え、
前記ＩＰ接続ポイント（４２０）は、前記アプリケーション（４００）を共有しながら、ＩＰ接続で前記第２の装置（１１０）と通信するようにさらに適合され、
前記第１のＳＭＳは勧誘テキストをさらに有し、該勧誘テキストは、前記第２の装置（１１０）のユーザが前記アプリケーション（４００）のダウンロードを望んだ場合に、前記リンクをアクティブにするために前記ユーザに勧誘を行うように適合され、
前記第２の装置（１１０）が前記アプリケーション（４００）を予め備えていない場合、前記勧誘テキストのみを前記第２の装置（１１０）に表示するように適合され、
前記送信用ユニット（４１０）は、前記第１のＳＭＳを前記アプリケーション（４００）に関連づけられた特定のポートへ送信するようにさらに適合されると共に、前記ＳＭＳがこのようなポートを発見しなかった場合、それは、前記第２の装置（１１０）が前記アプリケーション（４００）を備えていないことと、前記勧誘テキストを前記第２の装置（１１０）に示すべきであることを示すものである
ことを特徴とする第１の通信装置（１００）。
【請求項１７】
前記第２の装置（１１０）が前記アプリケーション（４００）を予め備えていれば、前記第１のＳＭＳは、前記アプリケーション（４００）を開始するように適合されたトリガを前記第２の装置（１１０）の中にさらに有することを特徴とする請求項１６に記載の第１の装置（１００）。
【請求項１８】
前記第１のＳＭＳが前記リンクと前記勧誘テキストとを有するように適合されていなかった場合、前記第２の装置（１１０）が前記送信用ユニット（４１０）を備えていなければ、個別の勧誘ＳＭＳを第２の装置（１１０）へ送信するようにさらに適合され、該勧誘ＳＭＳは前記リンクと前記勧誘テキストとを含むように適合されることを特徴とする請求項１６又は１７に記載の第１の装置（１００）。
【請求項１９】
前記第１のＳＭＳに関連づけられた配信報告が受信され、また、前記第２の装置（１１０）内の前記アプリケーション（４００）によって、前記第１の装置（１００）内の前記アプリケーション（４００）とのコンタクトが前記第１のＳＭＳの送信後所定の時間内に行われなかった場合、前記送信用ユニット（４１０）は、前記勧誘ＳＭＳを単に送信するようにさらに適合されることを特徴とする請求項１８に記載の第１の装置（１００）。
【請求項２０】
前記第２の装置（１１０）のスイッチがオンになっているが、前記第２の装置（１１０）内の前記アプリケーション（４００）によって、前記第１の装置（１００）内の前記アプリケーション（４００）とのコンタクトが前記第１のＳＭＳの送信後所定の時間内に行われていないことが要求時の前記第２の装置（１１０）の通信事業者により知らされた場合、前記送信用ユニット（４１０）は、前記勧誘ＳＭＳを単に送信するように適合されることを特徴とする請求項１９に記載の第１の装置（１００）。
【請求項２１】
ＩＰ接続を開始するためのアドレス指定を行うために、前記第２の装置（１１０）用として意図された前記識別子が前記第１の装置（１００）のＩＰアドレスによって表されることを特徴とする請求項１６乃至２０のいずれか１項に記載の第１の装置（１００）。
【請求項２２】
サーバ（１２０）が前記ＩＰ接続の設定に用いられ、
前記アプリケーション（４００）は前記サーバ（１２０）のＩＰアドレスを認知し、
前記第１のＳＭＳの中に含まれている識別子は、前記第１の装置（１００）と前記サーバ（１２０）との間のＩＰ接続を特定する識別子によって表され、
前記ＩＰ接続ポイント（４２０）がサーバ（１２０）と前記第１の装置（１００）との間の接続を設定すると共に、該識別子は、前記サーバ（１２０）と前記第１の装置（１００）との間の接続として前記サーバ（１２０）に登録されるように適合される
ことを特徴とする請求項１６乃至２１のいずれか１項に記載の第１の装置（１００）。
【請求項２３】
前記識別子は前記第１の装置（１００）によって作成されることを特徴とする請求項２２に記載の第１の装置（１００）。
【請求項２４】
前記識別子は要求時に前記サーバ（１２０）から取得されることを特徴とする請求項２２に記載の第１の装置（１００）。
【請求項２５】
前記第２の装置（１１０）と前記サーバ（１２０）との間の接続を設定する、前記第１の装置（１００）と前記第２の装置（１１０）との間のＩＰ接続が、前記第２の装置（１１０）によって実行されるように適合され、
前記第２の装置（１１０）は前記識別子を前記サーバ（１２０）に提供し、
前記ＩＰアドレスと識別子とは前記第１のＳＭＳの中に含まれていたものであり、
前記サーバ（１２０）と、前記サーバ（１２０）に登録されていた前記第１の装置（１００）との間の前記ＩＰ接続を特定するために前記識別子は前記サーバ（１２０）によって用いられ、
前記サーバ（１２０）は、前記第１の装置（１００）と前記サーバ（１２０）との間の前記特定されたＩＰ接続を、前記サーバ（１２０）と前記第２の装置（１１０）との間の前記ＩＰ接続と接続する
ことを特徴とする請求項２２に記載の第１の装置（１００）。
【請求項２６】
前記アプリケーション（４００）をダウンロードできるダウンロード元の場所へのリンクは、前記第１の装置（１００）又は前記サーバ（１２０）へのリンクであることを特徴とする請求項１６乃至２５のいずれか１項に記載の第１の装置（１００）。
【請求項２７】
ダウンロードできる前記アプリケーション（４００）は、前記サーバ（１２０）宛のＩＰアドレスも有することを特徴とする請求項２２乃至２６のいずれか１項に記載の第１の装置（１００）。
【請求項２８】
前記サーバ（１２０）は、前記サーバからの前記応答の中に含まれる前記勧誘テキストであって、前記第１のＳＭＳの中に含まれる勧誘テキストを定式化する
ことを特徴とする請求項２２乃至２７のいずれか１項に記載の第１の装置（１００）。
【請求項２９】
前記第１の装置（１００）は移動電話機であることを特徴とする請求項１６乃至２８のいずれか１項に記載の第１の装置（１００）。